(57)【特許請求の範囲】
【請求項１】
検索対象を分類するための複数の分類情報を含む分類情報の組と当該組に含まれる全ての分類情報と対応する画像とを、前記分類情報の全ての組み合わせについてあらかじめ対応付けて記憶する記憶部を参照し、ユーザ端末から受付けた検索クエリと対応する分類情報を含む前記分類情報の組に対応付けられた画像を特定する特定部と、
前記特定部が特定した画像を検索クエリの候補として、前記ユーザ端末から受付けた検索クエリに応じた検索結果とともに前記ユーザ端末へ配信する配信部と
を有することを特徴とする配信装置。    
【請求項２】
前記配信部は、前記検索クエリの候補として、前記画像と対応付けられた分類情報の組に含まれる分類情報のうち、前記検索クエリと対応する分類情報以外の分類情報をさらに配信することを特徴とする請求項１に記載の配信装置。    
【請求項３】
前記特定部は、所定のルールに従って、前記検索クエリの候補を表示する順序をさらに特定し、
前記配信部は、前記分類情報に基づく検索クエリの候補を、前記特定部が特定した順序で配置した検索結果を前記ユーザ端末へ送信する
ことを特徴とする請求項１または２に記載の配信装置。    
【請求項４】
前記特定部は、特定した画像と対応付けられた分類情報の組に対応する商品の数に応じて、前記検索クエリの候補を表示する順序を特定することを特徴とする請求項３に記載の配信装置。    
【請求項５】
前記特定部は、前記検索クエリの候補が利用者により選択された回数に応じて、前記検索クエリの候補を表示する順序を特定することを特徴とする請求項３または４に記載の配信装置。    
【請求項６】
前記特定部は、前記検索クエリと対応する分類情報を含む前記分類情報の組に対応付けられた画像を、当該画像が示す分類情報の組と対応する検索対象の種別ごとに特定し、
前記配信部は、前記特定部が特定した画像を、前記検索対象の種別ごとに配置した検索結果を配信する
ことを特徴とする請求項１〜５のうちいずれか１つに記載の配信装置。    
【請求項７】
前記特定部は、利用者が前記検索クエリの候補を選択した場合は、当該利用者が選択した検索クエリの候補に対応する画像が示す分類情報の組に含まれる全ての分類情報を含んだ他の分類情報の組と対応付けられた画像を新たに特定し、
前記配信部は、前記特定部が新たに特定した画像を新たな検索クエリの候補として、前記利用者が選択した検索クエリの候補に応じた新たな検索結果とともに前記ユーザ端末へ配信する
ことを特徴とする請求項１〜６のうちいずれか１つに記載の配信装置。    
【請求項８】
前記配信部は、利用者が選択した検索クエリの候補が示す分類情報の組に含まれる分類情報を、利用者が前記検索クエリの候補を選択した順と対応した順に配置した履歴情報を検索結果とともに配信することを特徴とする請求項７に記載の配信装置。    
【請求項９】
前記配信部は、前記履歴情報に含まれる分類情報のいずれかが選択された場合は、当該選択された分類情報よりも前に利用者が選択した検索クエリの候補と対応する分類情報に応じた検索結果と、当該分類情報を含む分類情報の組と対応付けられた画像とを配信することを特徴とする請求項８に記載の配信装置。    
【請求項１０】
前記配信部は、前記利用者が選択した画像が示す分類情報の組に応じて選択された広告を配置した検索結果を配信することを特徴とする請求項７〜９のうちいずれか１つに記載の配信装置。    
【請求項１１】
前記配信部は、前記利用者が選択した画像が示す分類情報の組に含まれる分類情報の数に応じた数の広告を前記検索結果に配置することを特徴とする請求項１０に記載の配信装置。
【請求項１２】
配信装置が実行する配信方法であって、
検索対象を分類するための複数の分類情報を含む分類情報の組と当該組に含まれる全ての分類情報と対応する画像とを、前記分類情報の全ての組み合わせについてあらかじめ対応付けて記憶する記憶部を参照し、ユーザ端末から受付けた検索クエリと対応する分類情報を含む前記分類情報の組に対応付けられた画像を特定する特定工程と、
前記特定した画像を検索クエリの候補として、前記ユーザ端末から受付けた検索クエリに応じた検索結果とともに前記ユーザ端末へ配信する配信工程と
を含むことを特徴とする配信方法。    
【請求項１３】
検索対象を分類するための複数の分類情報を含む分類情報の組と当該組に含まれる全ての分類情報と対応する画像とを、前記分類情報の全ての組み合わせについてあらかじめ対応付けて記憶する記憶部を参照し、ユーザ端末から受付けた検索クエリと対応する分類情報を含む前記分類情報の組に対応付けられた画像を特定する特定手順と、
前記特定した画像を検索クエリの候補として、前記ユーザ端末から受付けた検索クエリに応じた検索結果とともに前記ユーザ端末へ配信する配信手順と
をコンピュータに実行させることを特徴とする配信プログラム。
【発明の詳細な説明】
【技術分野】
【０００１】
本発明は、配信装置、配信方法および配信プログラムに関する。
【背景技術】
【０００２】
従来、利用者が入力した検索クエリに対応するウェブページを検索し、検索したウェブページの情報を検索結果として表示する技術が知られている。このような技術の一例として、あらかじめウェブページを複数のジャンルに分類し、検索クエリと関連性の高いジャンルに関連する検索結果を提供することで、検索を支援する技術が知られている。
【先行技術文献】
【特許文献】
【０００３】
【特許文献１】特開２０１１−００２９７２号公報
【発明の概要】
【発明が解決しようとする課題】
【０００４】
しかしながら、上記の従来技術では、検索を適切に補助できない場合がある。例えば、上記の従来技術では、利用者が入力した検索クエリと関連性が高いジャンルのウェブページを表示するに過ぎず、検索の際に利用者がどのような検索クエリを入力すれば良いか解らない場合に、検索を補助することができない。
【０００５】
本願は、上記に鑑みてなされたものであって、利用者による検索を適切に支援することができる配信装置、配信方法および配信プログラムを提供することを目的とする。
【課題を解決するための手段】
【０００６】
本願に係る配信装置は、検索対象を分類するための複数の分類情報を含む分類情報の組と当該組に含まれる全ての分類情報と対応する画像とを、前記分類情報の全ての組み合わせについてあらかじめ対応付けて記憶する記憶部を参照し、ユーザ端末から受付けた検索クエリと対応する分類情報を含む前記分類情報の組に対応付けられた画像を特定する特定部と、前記特定部が特定した画像を検索クエリの候補として、前記ユーザ端末から受付けた検索クエリに応じた検索結果とともに前記ユーザ端末へ配信する配信部とを有することを特徴とする。
【発明の効果】
【０００７】
実施形態の一態様によれば、利用者による検索を適切に支援することができる。
【図面の簡単な説明】
【０００８】
【図１】図１は、実施形態に係る配信サーバの一例を示す図である。
【図２】図２は、実施形態に係るデータベースサーバの構成例を示す図である。
【図３】図３は、実施形態に係る商品情報データベースの一例を示す図である。
【図４】図４は、実施形態に係る配信サーバの構成例を示す図である。
【図５】図５は、実施形態に係る分類情報データベースの一例を示す図である。
【図６】図６は、実施形態に係る配信サーバが分類情報の組み合わせを取得する処理の一例を示す図である。
【図７】図７は、分類情報の種別に応じた表示の一例を示す図である。
【図８】図８は、検索クエリの候補の選択に応じた表示の一例を説明する図である。
【図９】図９は、実施形態に係る配信サーバが実行する生成処理の流れの一例を示すフローチャートである。
【図１０】図１０は、実施形態に係る配信サーバが実行する配信処理の流れの一例を示すフローチャートである。
【図１１】図１１は、実施形態に係る配信サーバが実行する配信処理の繰り返しを説明する図である。
【図１２】図１２は、実施形態に係る配信サーバが配置させる広告の一例を説明する図である。
【図１３】図１３は、実施形態に係る配信サーバの機能を実現するコンピュータの一例を示すハードウェア構成図である。
【発明を実施するための形態】
【０００９】
以下に、本願に係る配信装置、配信方法および配信プログラムを実施するための形態（以下、「実施形態」と呼ぶ）について図面を参照しつつ詳細に説明する。なお、この実施形態により本願に係る配信装置、配信方法および配信プログラムが限定されるものではない。また、以下の各実施形態において同一の部位には同一の符号を付し、重複する説明は省略される。
【００１０】
〔１．情報処理システム１の一例〕
まず、図１を用いて、実施形態において生成装置および配信装置として動作する情報処理装置の一例である配信サーバを含む情報処理システム１の一例について説明する。なお、以下の説明では、配信装置の一例である配信サーバ２０によって、利用者が入力した検索クエリを用いたウェブ検索を補助する補助処理の一例と、当該補助処理を行うために実行するクロール処理との一例を示す。
【００１１】
図１は、実施形態に係る配信サーバの一例を示す図である。図１に示すように、情報処理システム１は、データベースサーバ１０、配信サーバ２０、端末装置１００を有する。以下、データベースサーバ１０および端末装置１００の一例について説明し、その後、配信サーバ２０の一例について説明する。
【００１２】
〔１−１．データベースサーバ１０の一例〕
データベースサーバ１０は、利用者に対して、商品やサービス等の情報を提供する情報処理装置である。例えば、データベースサーバ１０は、検索対象となる商品やサービスと、かかる商品やサービスの分類を示す分類情報とが対応付けて記憶している。すなわち、データベースサーバ１０は、検索対象と検索対象の分類を示す分類情報とを対応付けて記憶する。そして、データベースサーバ１０は、利用者が検索対象とする商品やサービスを示す分類情報を受信すると、受信した分類情報と対応付けられた商品やサービスの情報を提供する。
【００１３】
なお、データベースサーバ１０は、各商品やサービスに対する利用者の口コミや評価を収集して提供するサーバであってもよく、仮想的な店舗または実在する店舗が提供する各商品やサービスの価格を収集して提供するサーバであってもよい。また、データベースサーバ１０は、利用者が複数商品の比較を行うための情報を配信するサーバであってもよい。すなわち、データベースサーバ１０は、利用者の検索処理における検索対象を分類する任意の情報を記憶するサーバであればよい。なお、データベースサーバ１０は、単一のサーバ装置により実現されてもよく、複数のサーバ装置を含むクラウドシステム等により実現されてもよい。なお、以下の説明では、検索対象とされる商品や役務、その他の任意の検索対象をまとめて商品と記載するものとするが、かかる記載は、実施形態を限定するものではない。
【００１４】
〔１−２．端末装置１００の一例〕
端末装置１００は、利用者が使用する情報処理装置であり、スマートフォンやタブレット端末等のいわゆるスマートデバイスである。なお、端末装置１００は、デスクトップＰＣ（Personal  Computer）やノートパソコン等の情報処理装置であってもよい。また、端末装置１００は、ネットワークＮに接続し、ネットワーク上に存在する任意の情報を取得し、任意の表示装置に表示もしくは再生を行うことができる端末装置であるものとする。
【００１５】
〔１−３．配信サーバ２０の一例〕
配信サーバ２０は、利用者に対してウェブ検索のサービスを提供する情報処理装置である。なお、配信サーバ２０は、例えば、単一のサーバ装置により実現されてもよく、複数のサーバ装置を含むクラウドシステム等により実現されてもよい。また、配信サーバ２０は、利用者が使用する端末装置１００とネットワークＮを介して接続され、任意の情報を送受信することができるものとする。
【００１６】
〔１−４．配信サーバ２０が実行する処理について〕
ここで、配信サーバ２０は、端末装置１００から受信した検索クエリに応じた検索結果を配信する。例えば、配信サーバ２０は、ニュース、路線検索、電子商取引サービス等、各種サービスへのリンクが張られるとともに、検索クエリの入力を受付けるテキストボックスが配置されたポータルサイト等を端末装置１００へ配信する。そして、配信サーバ２０は、テキストボックスに入力された検索クエリを端末装置１００から受信すると、図示を省略した検索サーバ等に検索クエリを転送し、検索クエリと合致又は関連するウェブページへのリンクが設定されたウェブページ、すなわち検索結果を取得する。そして、配信サーバ２０は、取得した検索結果を端末装置１００へ送信する。
【００１７】
ここで、従来技術では、利用者が入力した検索クエリに対応する検索結果や、検索クエリに対応するジャンルの検索結果が表示されるに過ぎず、利用者がどのような検索クエリを入力すれば良いか解らない場合に、検索を補助することができなかった。
【００１８】
例えば、従来技術では、利用者がブランドＡの長財布であって、皮製の型押しがなされた素材の財布が欲しい場合に、利用者が商品の名称や「ブランドＡ」、「長財布」、「皮製」、「型押し」といった属性を想起できず、「ブランドＡ」、「長財布」といった一部の属性のみを検索クエリとして入力した際に、利用者が所望する商品が掲載されたウェブページ以外にも、検索クエリに合致する商品が掲載されたウェブページを多く表示してしまう。この結果、従来技術では、利用者が所望する商品が掲載されたウェブページまで利用者を誘導させることができない。また、従来技術では、利用者が一部の検索クエリのみを入力した際に、関連する全ての商品を表示した場合や、絞り込みを行うためのチェックボックス等を表示した場合には、検索結果の絞り込みに手間がかかるため、ユーザビリティが悪化する。
【００１９】
さらに、近年のウェブ検索技術においては、特定の商品が掲載されたウェブページが検索結果に含まれるようになっており、データベースサーバ１０を用いた商品の検索以外にも、ウェブ検索を介した商品の検索が行われるようになっている。
【００２０】
そこで、配信サーバ２０は、以下の生成処理および配信処理を実行する。まず、配信サーバ２０は、以下の生成処理を実行する。例えば、配信サーバ２０は、データベースサーバ１０に登録された商品と分類情報とを参照し、商品とかかる商品と対応付けられた分類情報の組み合わせを取得する。具体的には、配信サーバ２０は、「財布」や「家電」等、ある種別の商品と対応付けられた分類情報から、商品の種別と分類情報との組み合わせを取得し、取得した組み合わせを分類情報データベース２４に登録する。例えば、配信サーバ２０は、データベースサーバ１０に対し、あるカテゴリを示す分類情報と対応付けられた商品を検索し、検索した商品と対応付けられた分類情報を特定する処理を実行させる。そして、配信サーバ２０は、かかるカテゴリを示す分類情報と、特定した各分類情報とをそれぞれ対応付けた組み合わせを取得し、取得した組み合わせを分類情報データベース２４に登録する。
【００２１】
続いて、配信サーバ２０は、以下の配信処理を実行する。まず、配信サーバ２０は、端末装置１００から検索クエリを受信する。かかる場合、配信サーバ２０は、図示を省略した検索サーバ等に検索クエリを転送し、検索クエリに応じた検索結果を取得する。ここで、検索結果とは、検索クエリと関連するウェブページのタイトルを示すテキストや画像であって、係るウェブページへのリンクが設定されたテキストや画像を含むウェブページである。また、検索結果には、検索クエリとの関連度が高いものから順に、ウェブページへのリンクが設定されたテキストや画像が配置されているものとする。
【００２２】
続いて、配信サーバ２０は、分類情報データベース２４を参照し、検索クエリに対応する商品の種別と対応付けられた分類情報を特定する。すなわち、配信サーバ２０は、検索クエリに対応する種別の商品を分類する分類情報を特定する。そして、配信サーバ２０は、特定した分類情報に基づく検索クエリの候補と、取得した検索結果とを端末装置１００に配信する。例えば、配信サーバ２０は、特定した検索クエリの候補を検索結果であるウェブページ内に配置し、検索クエリの候補を配置した検索結果を端末装置１００に配信する。
【００２３】
このように、配信サーバ２０は、商品の分類が登録されたデータベースを参照し、ある種別の商品を分類する分類情報を取得する。そして、配信サーバ２０は、検索クエリと対応する商品の種別に対応付けられた分類情報、すなわち、検索クエリと対応する種別の商品を分類するための分類情報を検索クエリの候補として端末装置１００に配信する。この結果、配信サーバ２０は、利用者が入力した検索クエリの結果に含まれる商品の分類を検索クエリの候補として表示する。
【００２４】
上述した処理を実行した場合、配信サーバ２０は、利用者が検索結果を絞り込みたいが、適切な絞り込みを行う検索クエリを想起することができない際に、検索結果の絞り込みを行う検索クエリの候補を提供することができる。この結果、配信サーバ２０は、利用者の検索を適切に支援することができる。
【００２５】
なお、配信サーバ２０は、あらかじめ生成処理を実行することで分類情報データベース２４を作成する必要はない。また、配信サーバ２０は、装置内部に分類情報データベース２４を保持する必要はない。例えば、配信サーバ２０とは異なる任意の生成サーバが、上述した生成処理を実行することで分類情報データベース２４を作成し所定の記憶装置に格納する。そして、配信サーバ２０は、所定の記憶装置に格納された分類情報データベース２４を参照し、上述した配信処理を実行することで、検索クエリの候補を端末装置１００へ送信することとしてもよい。
【００２６】
〔２．配信サーバが実行する処理について〕
次に、図１を用いて、配信サーバ２０が実行する処理の具体例を説明する。なお、以下の説明では、配信サーバ２０が実行する生成処理の一例と、配信処理の一例とを説明する。
【００２７】
〔２−１．配信サーバが実行する生成処理の一例〕
まず、配信サーバ２０は、検索対象と検索対象を分類する分類情報との組み合わせを取得するクロール処理を実行する（ステップＳ１）。具体的には、配信サーバ２０は、ある商品の種別を示す情報である商品種別をクエリとしてデータベースサーバ１０に送信する。
【００２８】
一方、データベースサーバ１０は、配信サーバ２０からクエリを受信すると、受信したクエリに含まれる商品種別と、かかる商品種別に対応付けられた分類情報との組み合わせをクロール結果として配信サーバ２０に送信する（ステップＳ２）。例えば、図１に示す例では、データベースサーバ１０は、検索対象となる商品等の商品名と、かかる商品等の分類を示す分類情報とを対応付けた商品情報データベース１４を有する。
【００２９】
かかる商品情報データベース１４には、商品名と、商品の種別を示す商品種別、商品の属性を示すカテゴリ、ブランド、素材等を示す分類情報とが対応付けて登録されている。なお、商品情報データベース１４は、商品種別が分類情報の一つとして登録されていてもよい。
【００３０】
詳細に説明すると、図１に示す商品情報データベース１４には、商品名「商品Ａ」と商品種別「財布」と、カテゴリ「長財布」、ブランド「ブランドＡ」、素材「皮」等の分類情報が対応付けて登録されている。すなわち、商品情報データベース１４には、「商品Ａ」が、商品種別「財布」に属する「皮」製の「長財布」であり、「ブランドＡ」の商品である旨が登録されている。同様に、図１に示す商品情報データベース１４には、商品名「商品Ｂ」と、商品種別「財布」と、カテゴリ「コインケース」、ブランド「ブランドＡ」、素材「キャンバス」等の分類情報が対応付けて登録されており、商品名「商品Ｅ」と商品種別「財布」、カテゴリ「二つ折り」、ブランド「ブランドＢ」、素材「キャンバス」等の情報が登録されているものとする。
【００３１】
ここで、データベースサーバ１０は、配信サーバ２０から受信した商品種別と対応付けて登録された商品名を特定し、特定した商品名と対応付けられた分類情報を抽出する。そして、データベースサーバ１０は、抽出した分類情報と、配信サーバ２０から受信した商品種別との組み合わせを生成する。例えば、データベースサーバ１０は、配信サーバ２０から商品種別「財布」を受信すると、商品種別「財布」と対応付けて登録された分類情報として、「長財布」、「コインケース」、「二つ折り」、「ブランドＡ」、「ブランドＢ」、「皮」、「キャンパス」等を抽出する。
【００３２】
続いて、データベースサーバ１０は、受信した商品種別「財布」と、抽出した分類情報との組み合わせを生成する。例えば、データベースサーバ１０は、「財布」と「長財布」、「財布」と「二つ折り」、「財布」と「コインケース」、「財布」と「ブランドＡ」、「財布」と「ブランドＢ」、「財布」と「皮」、「財布」と「キャンバス」といった組み合わせを生成する。そして、データベースサーバ１０は、生成した組み合わせをクロール結果として配信サーバ２０に送信する。
【００３３】
かかる場合、配信サーバ２０は、受信した組み合わせに対応する画像を取得し、取得した画像と、対応する組み合わせとを対応付けて分類情報データベース２４に格納する（ステップＳ３）。例えば、配信サーバ２０は、分類情報に「財布」と「長財布」とを含む商品の画像をデータベースサーバ１０から取得し、取得した画像から代表的な画像を抽出する。ここで、代表的な画像とは、背景に余分なものが写りこんでいない写真や、商品の全体が写る写真、商品の全体が認識できるような写真である。なお、かかるような写真を取得する手法としては、画像認識技術や画像検索技術等に用いられる任意の従来技術を適用するものとする。
【００３４】
また、配信サーバ２０は、取得した各組み合わせについて、他の分類情報をさらに含む組み合わせを取得する。例えば、配信サーバ２０は、取得した組み合わせに含まれる商品種別やカテゴリ等の分類情報全てをクエリとしてデータベースサーバ１０に送信する。かかる場合、データベースサーバ１０は、受信したクエリに含まれる全ての分類情報が対応付けられた商品を特定し、特定した商品と対応付けられた分類情報のうち、受信したクエリに含まれていない分類情報を新たに抽出する。そして、データベースサーバ１０は、受信したクエリに含まれる分類情報と、新たに抽出した分類情報との組み合わせを生成し、生成した組み合わせを配信サーバ２０に送信する。そして、配信サーバ２０は、新たに受信した組み合わせと、かかる組み合わせに対応する画像とを対応付けて分類情報データベース２４に登録する。
【００３５】
例えば、配信サーバ２０は、「財布」と「長財布」の組み合わせをデータベースサーバ１０に送信する。かかる場合、データベースサーバ１０は、「財布」と「長財布」とに対応付けられた商品と対応付けられた分類情報「ブランドＡ」、「皮」を特定する。そして、データベースサーバ１０は、「財布」と「長財布」と「ブランドＡ」とを対応付けた組み合わせ、および、「財布」と「長財布」と「皮」とを対応付けた組み合わせとを配信サーバ２０へ送信する。
【００３６】
係る場合、配信サーバ２０は、「財布」と「長財布」と「ブランドＡ」との組み合わせに対応する画像を取得し、「財布」と「長財布」と「ブランドＡ」との組み合わせと、取得した画像とを対応付けて分類情報データベース２４に登録する。また、配信サーバ２０は、「財布」と「長財布」と「皮」とを対応付けた組み合わせに対応する画像を取得し、「財布」と「長財布」と「皮」とを対応付けた組み合わせと、取得した画像とを対応付けて分類情報データベース２４に登録する。
【００３７】
また、配信サーバ２０は、上述した処理を繰り返すことで、１つ又は複数の分類情報が組み合わされた分類情報の組み合わせを取得する。そして、配信サーバ２０は、取得した分類情報の組み合わせを分類情報データベース２４に格納する。なお、配信サーバ２０は、後述する処理を実行することで、取得する分類情報の組み合わせを限定してもよい。
【００３８】
また、配信サーバ２０は、「財布」以外にも、任意の種別の商品について分類情報の組み合わせを取得するものとする。例えば、配信サーバ２０は、生成処理の実行に先立ち、商品情報データベース１４に登録された商品種別を特定し、特定した各商品種別について、上述した処理を実行してもよい。
【００３９】
〔２−２．配信サーバが実行する配信処理の一例〕
次に、配信サーバ２０が実行する配信処理の一例について説明する。まず、配信サーバ２０は、端末装置１００から検索クエリを受信する（ステップＳ４）。かかる場合、配信サーバ２０は、図示を省略した検索サーバ等に検索クエリを転送し、検索クエリに応じた検索結果を受信する。また、配信サーバ２０は、分類情報データベースを参照し、検索クエリと対応する組み合わせを特定する。
【００４０】
そして、配信サーバ２０は、抽出した組み合わせに含まれる分類情報を検索クエリの候補として特定し、特定した検索クエリの候補を検索クエリに応じた検索結果に挿入する（ステップＳ５）。また、配信サーバ２０は、検索クエリの候補として配置した分類情報とともに、かかる分類情報を含む組み合わせと対応付けて登録された画像を検索結果に配置する。そして、配信サーバ２０は、検索結果を端末装置１００へ送信する（ステップＳ６）。
【００４１】
例えば、配信サーバ２０は、検索クエリが「財布」である場合は、分類情報データベース２４から「財布」を含む組み合わせを抽出する。また、配信サーバ２０は、抽出した組み合わせに含まれる検索クエリ以外の分類情報を、分類情報の種別ごとに特定する。例えば、配信サーバ２０は、抽出した組み合わせの中からカテゴリの分類情報「長財布」、「二つ折り」、「コインケース」を特定し、ブランドの分類情報「ブランドＡ」、「ブランドＢ」を特定し、素材の分類情報「皮」、「キャンバス」を特定する。
【００４２】
また、配信サーバ２０は、特定した分類情報と対応する画像Ａ〜Ｇを分類情報データベース２４から取得する。そして、配信サーバ２０は、検索サーバ等から受信した検索結果に対し、抽出した画像と分類情報とを分類情報の種別ごとに挿入する。例えば、配信サーバ２０は、分類情報の種別「カテゴリ」、「ブランド」、「素材」ごとのタブを検索結果に挿入する。
【００４３】
そして、配信サーバ２０は、分類情報「長財布」および対応する画像Ａ、分類情報「二つ折り」および対応する画像Ｂ、分類情報「コインケース」および対応する画像Ｃを「カテゴリ」のタブ内に配置する。また、配信サーバ２０は、分類情報「ブランドＡ」および対応する画像Ｄ、分類情報「ブランドＢ」および対応する画像Ｅを「ブランド」のタブ内に配置する。また、配信サーバ２０は、分類情報「皮」および対応する画像Ｆ、分類情報「キャンバス」および対応する画像Ｇを「素材」のタブ内に配置する。
【００４４】
また、配信サーバ２０は、検索結果に含まれる分類情報および対応する画像に対し、端末装置１００から受信した検索クエリと、かかる分類情報とを新たな検索クエリとして配信サーバ２０へと送信させるリンクを設定する。例えば、配信サーバ２０は、画像Ａおよび分類情報「長財布」に対し、検索クエリ「財布  長財布」を配信サーバ２０へと送信させるリンクを設定する。すなわち、配信サーバ２０は、各分類情報および対応する画像を、分類情報に基づく検索クエリの候補として配置する。そして、配信サーバ２０は、検索結果を端末装置１００へと送信する。
【００４５】
かかる場合、端末装置１００は、検索クエリの候補が配置された検索結果を表示する（ステップＳ７）。例えば、端末装置１００は、図１に示す検索結果Ｃ１０を表示する。かかる検索結果Ｃ１０には、例えば、従来の検索結果と同様に、検索クエリが入力されたテキストボックスＣ１１、検索クエリに対応する広告Ｃ１４、検索結果である各ウェブページへのリンクが配置されたコンテンツＣ１５等が含まれる。さらに、検索結果Ｃ１０には、配信サーバ２０が配置された各タブＣ１２が挿入されており、各タブには、検索クエリの候補として配置された分類情報Ｃ１３が配置されている。なお、図１に示す例では、検索クエリの候補として、分類情報「長財布」、「二つ折り」、「コインケース」および各分類情報の写真を記載したが、他にも検索クエリの候補が存在する場合は、各検索クエリの候補を横方向に配置し、タブ内でスクロール表示させてもよく、カルーセル表示させてもよい。
【００４６】
このように、端末装置１００は、テキストボックスＣ１１に入力された検索クエリが示す商品を分類するための分類情報Ｃ１３を検索クエリの候補として表示する。すなわち、利用者は、所望の商品を検索する際に、適切な検索クエリを知らない場合であっても、単純な検索クエリを入力すれば、かかる検索クエリと対応する商品を分類する分類情報を検索クエリの候補として表示されるので、かかる検索クエリの候補を選択することにより検索結果の絞り込みを行うことができる。
【００４７】
特に、端末装置１００がスマートフォン等のスマートデバイスである場合は、表示領域が限定されるため、検索結果の閲覧が困難である。しかしながら、配信サーバ２０は、検索クエリの候補を表示することにより、検索結果の絞り込みを容易に行わせることができるので、利用者の検索を快適にすることができる。
【００４８】
また、端末装置１００は、利用者が画像Ａ又は分類情報「長財布」を選択した場合は、検索クエリ「財布  長財布」を配信サーバ２０に送信する。かかる場合、配信サーバ２０は、検索クエリ「財布  長財布」に応じた検索結果を取得するとともに、検索クエリである「財布」および「長財布」を含む組み合わせを分類情報データベース２４から抽出する。そして、配信サーバ２０は、抽出した組み合わせから検索クエリである「財布」および「長財布」以外の分類情報を分類情報の種別ごとに特定する。
【００４９】
そして、配信サーバ２０は、分類情報の種別ごとに特定した分類情報に基づく検索クエリの候補を検索結果に配置し、検索結果を端末装置１００へ送信する。この結果、端末装置１００は、利用者が選択した検索クエリの候補に応じた検索結果とともに、かかる検索クエリの候補を検索クエリとした際の検索結果に含まれる商品の分類を示す分類情報を表示する。
【００５０】
〔２−３．配信サーバが実行する処理の効果〕
このように、配信サーバ２０は、検索対象と検索対象の分類を示す分類情報とを対応付けて記憶する商品情報データベース１４を参照し、検索対象と検索対象を分類するための分類情報との組み合わせを取得する。そして、配信サーバ２０は、取得した組み合わせに含まれる分類情報を、端末装置１００から受信した検索クエリに応じた検索結果とともに表示される検索クエリの候補として、分類情報データベース２４に登録する。この結果、配信サーバ２０は、利用者が入力した検索クエリに応じた検索結果とともに、かかる検索クエリに応じた検索対象の分類情報を検索クエリの候補として表示させることができる。このため、配信サーバ２０は、利用者が所望する商品等に利用者を導くことができるので、利用者の検索を適切に補助することができる。
【００５１】
また、配信サーバ２０は、端末装置１００から受付けた検索クエリと対応する商品種別の検索対象と対応付けられた分類情報を特定し、特定した分類情報に基づく検索クエリを検索結果とともに端末装置１００へ送信する。このため、配信サーバ２０は、利用者の検索を補助することができる。
【００５２】
また、配信サーバ２０は、利用者が検索クエリの候補を選択した場合は、選択された検索クエリの候補に対応する商品種別の商品を分類するための分類情報を新たな検索クエリの候補として配信する。このような処理を繰り返し実行することで、利用者は、検索クエリの候補を順次選択するだけで、検索結果を徐々に絞り込むことができる。この結果、配信サーバ２０は、利用者の検索をより適切に補助することができる。
【００５３】
〔２−４．配信サーバが実行する生成処理について〕
上述した例では、配信サーバ２０は、順次分類情報を追加した組み合わせを取得した。しかしながら、実施形態は、これに限定されるものではない。例えば、配信サーバ２０は、商品情報データベース１４から取得される組み合わせのうち、所定のルールに合致する組み合わせのみを取得してもよい。
【００５４】
例えば、配信サーバ２０は、所定の種別の商品と対応付けられた分類情報のうち、対応付けられた商品の数が多い分類情報を選択する。そして、配信サーバ２０は、選択した分類情報と、所定の種別の商品と対応付けられた分類情報とを対応付けた組み合わせを取得してもよい。詳細な例を説明すると、配信サーバ２０は、商品種別が「財布」である商品と対応付けられた分類情報のうち、対応付けられた商品の数が所定の数よりも多い分類情報や、対応付けられた商品の数が多い順に所定の数の分類情報と、商品種別「財布」とを対応付けた組み合わせを送信するようデータベースサーバ１０に指示するクエリを生成する。そして、配信サーバ２０は、生成したクエリをデータベースサーバ１０に送信してもよい。
【００５５】
また、配信サーバ２０は、商品情報データベース１４に、各商品の在庫の数が登録されている場合は、所定の商品種別の商品と対応付けられた分類情報のうち、対応付けられた商品の在庫の数が多い分類情報と、所定の商品種別とを対応付けた組み合わせを取得してもよい。例えば、配信サーバ２０は、商品種別が「財布」である商品のうち、在庫の数が「０」ではない商品と対応付けられた分類情報を特定し、特定した分類情報と商品種別「財布」とを対応付けた組み合わせを送信させるクエリをデータベースサーバ１０に送信してもよい。
【００５６】
また、配信サーバ２０は、所定の種別の商品と対応付けられた分類情報のうち、かかる分類情報とともに所定の種別の商品と対応付けられた他の分類情報の種類の数が多い分類情報と、所定の種別の商品との組み合わせを取得してもよい。例えば、配信サーバ２０は、以下の処理を実行させるクエリをデータベースサーバ１０に送信する。例えば、データベースサーバ１０は、商品情報「財布」が対応付けられた商品と対応付けられた分類情報を特定し、特定した分類情報と商品情報「財布」との組み合わせを生成する。次に、データベースサーバ１０は、生成した組み合わせに含まれる分類情報と商品情報とに対応付けられた商品の数をそれぞれ計数する。そして、データベースサーバ１０は、計数した商品の数が所定の閾値よりも多い組み合わせのみを配信サーバ２０に送信する。すなわち、配信サーバ２０は、検索結果に含まれる商品をより細かく分類する分類情報が所定の数以上存在する場合に、かかる分類情報の組み合わせについてのみを取得して、分類情報データベース２４に登録することとしてもよい。
【００５７】
また、配信サーバ２０は、以下の処理を実行させるクエリをデータベースサーバ１０に送信してもよい。例えば、データベースサーバ１０は、所定の商品種別と、かかる商品種別の商品に対応付けられた分類情報との組み合わせを生成し、生成した組み合わせと対応付けられた商品の数、各商品の在庫の数、商品に対してともに対応付けられた他の分類情報の種類の数等に応じた所定のスコアを算出する。そして、データベースサーバ１０は、算出したスコアの値が所定の閾値以上である組み合わせや、スコアの値が大きい順に所定の数の組み合わせ等、所定のルールを満たす組み合わせを配信サーバ２０に送信してもよい。
【００５８】
このように、本発明のクロール処理は、配信サーバ２０が検索クエリをデータベースサーバ１０に渡し、データベースサーバ１０から返ってきた分類情報を取得する処理である。また、配信サーバ２０は、本発明のクロール処理の結果取得した分類情報を、対応する検索クエリが入力された際に表示される検索クエリの候補として分類情報データベース２４に登録する。このため、配信サーバ２０は、利用者が入力した検索クエリに対応する商品を分類するための検索クエリの候補を表示することができるので、利用者の検索を補助することができる。
【００５９】
〔２−５．配信サーバが実行する配信処理について〕
上述した例では、配信サーバ２０は、端末装置１００から受付けた検索クエリと対応する種別の商品を分類するための分類情報を特定し、特定した分類情報に基づく検索クエリの候補を検索結果に配置した。ここで、配信サーバ２０は、所定のルールに従って、検索クエリの候補を表示する順序を特定し、特定した順序で検索クエリの候補を配置した検索結果を配信してもよい。
【００６０】
例えば、配信サーバ２０は、特定した分類情報が示す分類に属する商品の数に応じて、検索クエリの候補を表示する順序を特定してもよい。例えば、配信サーバ２０は、検索クエリ「財布」について、分類情報「長財布」、「二つ折り」、「コインケース」を特定した場合は、データベースサーバ１０の商品情報データベース１４を参照する。また、配信サーバ２０は、「財布」と対応付けられた商品のうち、「長財布」が対応付けられた商品の数、「二つ折り」が対応付けられた商品の数、「コインケース」が対応付けられた商品の数をそれぞれ取得する。そして、例えば、配信サーバ２０は、対応付けられた商品の数が「長財布」、「コインケース」、「二つ折り」の順に多い場合は、「長財布」、「コインケース」、「二つ折り」の順に検索クエリの候補を配置した検索結果を配信してもよい。
【００６１】
また、配信サーバ２０は、検索クエリに対応する種別の商品に対し、特定した分類情報とともに対応付けられた他の分類情報の種別の数に応じて、検索クエリの候補を表示する順序を特定してもよい。すなわち、配信サーバ２０は、検索結果に含まれる商品をより細かく分類する必要がある分類情報に基づく検索クエリの候補を優先して配置してもよい。
【００６２】
例えば、配信サーバ２０は、検索クエリ「財布」について、分類情報「長財布」、「二つ折り」、「コインケース」を特定する。また、配信サーバ２０は、商品情報データベース１４を参照し、「財布」と対応付けられた商品に対して、「長財布」とともに対応付けられた分類情報の種別の数、「二つ折り」とともに対応付けられた分類情報の種別の数、「コインケース」とともに対応付けられた分類情報の種別の数をそれぞれ計数する。そして、例えば、配信サーバ２０は、計数した数が「二つ折り」、「コインケース」、「長財布」の順に多い場合は、「二つ折り」、「コインケース」、「長財布」の順に検索クエリの候補を配置した検索結果を配信してもよい。
【００６３】
また、配信サーバ２０は、検索クエリの候補が選択された回数に応じて、検索クエリの候補を表示する順序を特定してもよい。例えば、配信サーバ２０は、検索クエリの候補が選択された回数が、「長財布」、「二つ折り」、「コインケース」の順に多い場合は、「長財布」、「二つ折り」、「コインケース」の順に検索クエリの候補を配置した検索結果を配信してもよい。
【００６４】
また、配信サーバ２０は、特定した分類情報が示す分類に属する商品の在庫の数に応じて、検索クエリの候補を表示する順序を特定してもよい。例えば、配信サーバ２０は、検索クエリ「財布」について、分類情報「長財布」、「二つ折り」、「コインケース」を特定した場合は、「財布」と対応付けられた商品のうち、「長財布」が対応付けられた商品の在庫の数、「二つ折り」が対応付けられた商品の在庫の数、「コインケース」が対応付けられた商品の在庫の数をそれぞれ取得する。そして、例えば、配信サーバ２０は、「コインケース」と対応付けられた商品の在庫の数が「０」である場合は、「コインケース」に基づく検索クエリの候補を最後尾に配置してもよく、「コインケース」に基づく検索クエリの候補を配置しなくともよい。
【００６５】
また、配信サーバ２０は、上述した処理を組み合わせてもよい。また、例えば、配信サーバ２０は、特定した分類情報が示す分類に属する商品の数、特定した分類情報とともに対応付けられた他の分類情報の種別の数、検索クエリの候補が利用者により選択された回数、商品の在庫の数等、任意の情報に基づくスコアを特定した分類情報ごとに算出し、算出したスコアの値が大きい分類情報から順に、検索クエリの候補として配置してもよい。また、配信サーバ２０は、上述した情報以外にも、任意の情報に応じた重みづけを考慮して、スコアを算出してもよい。
【００６６】
以下、上記した配信処理を実現するデータベースサーバ１０および配信サーバ２０の機能構成の一例について説明する。
【００６７】
〔３．データベースサーバ１０の構成〕
次に、図２を用いて、実施形態に係るデータベースサーバ１０の構成について説明する。図２は、実施形態に係るデータベースサーバの構成例を示す図である。図２に示すように、データベースサーバ１０は、ネットワークＮを介して、配信サーバ２０とデータの送受信を行う。なお、データベースサーバ１０は、他にも任意の情報処理装置や端末装置と通信することができるものとする。
【００６８】
ここで、データベースサーバ１０は、図２に示すように、通信部１１、記憶部１２、制御部１３を有する。なお、データベースサーバ１０の内部構成は、図２に示した構成に限られず、上述した選定処理を行う構成であれば他の構成であってもよい。
【００６９】
通信部１１は、例えば、ＮＩＣ（Network  Interface  Card）等によって実現される。そして、通信部１１は、ネットワークＮと有線または無線で接続され、各端末装置１００、１０１との間で情報の送受信を行う。
【００７０】
記憶部１２は、例えば、ＲＡＭ（Random  Access  Memory)、フラッシュメモリ（Flash  Memory）等の半導体メモリ素子、または、ハードディスク、光ディスク等の記憶装置によって実現される。記憶部１２は、商品情報データベース１４を記憶する。
【００７１】
制御部１３は、例えば、ＣＰＵ（Central  Processing  Unit）やＭＰＵ（Micro  Processing  Unit）等によって、データベースサーバ１０内部の記憶装置に記憶されている各種プログラムがＲＡＭを作業領域として実行されることにより実現される。また、制御部１３は、例えば、ＡＳＩＣ（Application  Specific  Integrated  Circuit）やＦＰＧＡ（Field  Programmable  Gate  Array）等の集積回路により実現される。
【００７２】
また、制御部１３は、データベースサーバ１０内部の記憶装置に記憶されているプログラムがＲＡＭを作業領域として実行されることにより、検索部１５および配信部１６として動作する。
【００７３】
〔３−１．商品情報データベース１４の一例〕
続いて、記憶部１２が記憶する商品情報データベース１４の一例について説明する。商品情報データベース１４は、検索対象である商品と、商品の分類を示す複数の分類情報とを対応付けて記憶するデータベースである。
【００７４】
例えば、図３は、実施形態に係る商品情報データベースの一例を示す図である。図３に示す例では、商品情報データベース１４には、商品名と複数種別の分類情報とが対応付けて登録されている。また、商品情報データベース１４には、分類情報として、商品種別、カテゴリ、メーカー、ブランド、素材、色、価格等が対応付けて登録されている。
【００７５】
例えば、図３に示す例では、商品情報データベース１４には、商品名「商品Ａ」、商品種別「財布」、カテゴリ「長財布」、ブランド「ブランドＡ」、素材「皮」、色「黒」、価格「価格Ａ」等が対応付けて登録されている。また、商品情報データベース１４には、商品名「商品Ｂ」、商品種別「財布」、カテゴリ「コインケース」、ブランド「ブランドＡ」、素材「キャンバス」、色「白」、価格「価格Ｂ」等が対応付けて登録されている。また、商品情報データベース１４には、商品名「商品Ｃ」、商品種別「家電」、カテゴリ「マッサージ機」、メーカー「メーカーＡ」、色「クリーム」、価格「価格Ｃ」等が対応付けて登録されている。また、商品情報データベース１４には、商品名「商品Ｄ」、商品種別「家電」、カテゴリ「マッサージ機」、メーカー「メーカーＡ」、色「グレー」、価格「価格Ｄ」等が対応付けて登録されている。また、商品情報データベース１４には、商品名「商品Ｅ」、商品種別「財布」、カテゴリ「二つ折り」、ブランド「ブランドＢ」、素材「キャンバス」、色「ピンク」、価格「価格Ｅ」等が対応付けて登録されている。
【００７６】
なお、図３に示す分類情報の種別は、あくまで一例であり、商品情報データベース１４は、他にも任意の商品について、分類情報が登録されているものとする。例えば、商品情報データベース１４には、例えば、メーカー、色、価格等の分類情報や、商品の画像が登録されているものとする。
【００７７】
また、商品情報データベース１４には、商品に応じた分類情報が登録されていてもよい。例えば、商品情報データベース１４には、商品が「液晶テレビ」である場合には、液晶パネルのサイズ、重さ、バックライトの方式、筐体の色、録画機能の有無等が登録され、商品が「財布」である場合には、女性物であるか男性物であるか、小銭入れがついているか、カード入れがついているか等の情報が登録されていてもよい。すなわち、商品情報データベース１４には、仮想的な店舗や実店舗等で販売されている商品ごとに、かかる商品の属性を示す任意の情報が分類情報として登録されているものとする。
【００７８】
〔３−２．制御部１３が実行する処理の一例〕
図２に戻り、検索部１５は、配信サーバ２０から受信したクエリに対応する分類情報と対応付けられた商品を特定する。例えば、検索部１５は、クエリ「財布」を受信した場合は、分類情報「財布」と対応付けられた商品を商品情報データベース１４から特定する。また、検索部１５は、クエリ「財布」、「二つ折り」を受信した場合は、分類情報「財布」と分類情報「二つ折り」とに対応付けられた商品を商品情報データベース１４から特定する。
【００７９】
配信部１６は、特定部１５が特定した商品に基づいて、分類情報の組み合わせを生成し、生成した分類情報の組み合わせを配信サーバ２０に送信する。例えば、配信部１６は、特定部１５が特定した商品と対応付けられた分類情報を抽出し、抽出した分類情報と、クエリに含まれる商品種別や分類情報を対応付けた組み合わせを生成する。
【００８０】
また、配信部１６は、配信サーバ２０から受信したクエリに、所定のルールが設定されている場合は、かかるルールに合致する組み合わせを特定する。例えば、配信部１６は、生成した組み合わせのうち、対応付けられた商品の数が所定の数よりも多い組み合わせや、対応付けられた商品の在庫の数が多い組み合わせ、ともに対応付けられた分類情報の種別の数が多い組み合わせ、対応する検索クエリの候補が選択された数が多い組み合わせ等を特定する。そして、配信部１６は、特定した組み合わせを配信サーバ２０に配信する。
【００８１】
例えば、特定部１５は、図３に示す情報が商品情報データベース１４に登録されている際に、クエリ「財布」を受信した場合は、商品Ａおよび商品Ｅを特定する。かかる場合、配信部１６は、特定した商品Ａおよび商品Ｅと対応付けられた分類情報「長財布」、「二つ折り」、「ブランドＡ」、「ブランドＢ」、「皮」、「キャンバス」、「黒」、「ピンク」、「価格Ａ」、「価格Ｅ」等を特定し、クエリ「財布」と特定した分類情報とをそれぞれ対応付けた組み合わせを生成する。
【００８２】
また、例えば、配信部１６は、各組み合わせに含まれる分類情報と対応付けられた商品の数を計数し、計数した数が所定の数よりも多い組み合わせを特定する。例えば、配信部１６は、「財布」と「長財布」、「財布」と「二つ折り」、「財布」と「ブランドＡ」、「財布」と「ブランドＢ」を対応付けた組み合わせを特定する。そして、配信部１６は、特定した組み合わせを配信サーバ２０へ送信する。
【００８３】
また例えば、特定部１５は、クエリ「財布」、「長財布」を受信した場合は、商品Ａを特定する。かかる場合、配信部１６は、特定した商品Ａと対応付けられた分類情報のうち、「財布」と「長財布」以外の分類情報である「ブランドＡ」、「皮」、「黒」、「価格Ａ」等を特定する。そして、特定部１５は、クエリ「財布」、「長財布」と特定した分類情報とをそれぞれ対応付けた組み合わせを配信サーバ２０へ送信する。例えば、配信部１６は、「財布」と「長財布」と「ブランドＡ」とを対応付けた組み合わせを生成し、配信サーバ２０へ送信する。
【００８４】
〔４．配信サーバ２０の構成〕
次に、図４を用いて、実施形態に係る配信サーバ２０の構成について説明する。図４は、実施形態に係る配信サーバの構成例を示す図である。図４に示すように、配信サーバ２０は、ネットワークＮを介して、データベースサーバ１０、端末装置１００、検索サーバ２００とデータの送受信を行う。なお、配信サーバ２０は、他にも任意の端末装置やサーバ等と通信することができるものとする。
【００８５】
また、配信サーバ２０は、図４に示すように、通信部２１、記憶部２２、制御部２３を有する。なお、配信サーバ２０の内部構成は、図４に示した構成に限られず、上述した選定処理を行う構成であれば他の構成であってもよい。
【００８６】
通信部２１は、例えば、ＮＩＣ等によって実現される。そして、通信部２１は、ネットワークＮと有線または無線で接続され、データベースサーバ１０、端末装置１００、検索サーバ２００との間で情報の送受信を行う。
【００８７】
記憶部２２は、例えば、ＲＡＭ、フラッシュメモリ等の半導体メモリ素子、または、ハードディスク、光ディスク等の記憶装置によって実現される。記憶部２２は、分類情報データベース２４と配信情報データベース２５とを記憶する。
【００８８】
制御部２３は、例えば、ＣＰＵやＭＰＵ等によって、配信サーバ２０内部の記憶装置に記憶されているプログラムがＲＡＭを作業領域として実行されることにより実現される。また、制御部２３は、例えば、ＡＳＩＣやＦＰＧＡ等の集積回路により実現される。
【００８９】
また、制御部２３は、配信サーバ１１０内部の記憶装置に記憶されている生成プログラムがＲＡＭを作業領域として実行されることにより、取得部２６、登録部２７として動作し、配信プログラムがＲＡＭを作業領域として実行させることにより、検索部２８、特定部２９、配信部３０として動作する。
【００９０】
〔４−１．各データベースの一例〕
続いて、記憶部２２が記憶する情報の一例について説明する。分類情報データベース２４は、検索対象の種別とかかる種別の検索対象を分類するための分類情報とが対応付けて登録されている。具体的には、分類情報データベース２４には、検索対象となる商品の種別を示す分類情報である商品種別と、かかる商品種別が示す種別の商品を分類するための分類情報との組み合わせが格納されている。
【００９１】
例えば、図５は、実施形態に係る分類情報データベースの一例を示す図である。図５に示す例では、分類情報データベース２４には、分類情報の組み合わせと、画像と、カテゴリスコアとが対応付けて登録されている。ここで、カテゴリスコアとは、対応付けて登録された組み合わせに含まれる分類情報に基づく検索クエリの候補を表示する際に用いられるスコアであり、例えば、対応付けられた組み合わせの分類情報が示す分類に属する商品の数に基づいて算出されるスコアである。なお、カテゴリスコアは、例えば、対応付けられた組み合わせの分類情報とともに対応付けられた他の分類情報の種別の数、対応付けられた組み合わせの分類情報に基づく検索クエリの候補が利用者により選択された回数、対応付けられた組み合わせの分類情報と対応する商品の在庫の数等に基づいて算出されてもよい。
【００９２】
例えば、図５に示す例では、分類情報データベース２４には、商品種別「財布」とカテゴリ「長財布」とを対応付けた組み合わせと、かかる組み合わせが示す商品の代表的な画像である「画像Ａ」と、カテゴリスコア「スコアＡ」とが対応付けて登録されている。また、分類情報データベース２４には、商品種別「財布」とカテゴリ「二つ折り」とを対応付けた組み合わせと、かかる組み合わせが示す商品の代表的な画像である「画像Ｂ」と、カテゴリスコア「スコアＢ」とが対応付けて登録されている。なお、分類情報データベース２４には、他にも商品種別「財布」と他の分類情報とが対応付けられた組み合わせが登録されているものとする。
【００９３】
また、分類情報データベース２４には、商品種別「財布」とカテゴリ「長財布」とブランド「ブランドＡ」を対応付けた組み合わせと、かかる組み合わせが示す商品の代表的な画像である「画像Ｃ」と、カテゴリスコア「スコアＣ」とが対応付けて登録されている。また、分類情報データベース２４には、商品種別「財布」とカテゴリ「長財布」とブランド「ブランドＢ」とを対応付けた組み合わせと、かかる組み合わせが示す商品の代表的な画像である「画像Ｄ」と、カテゴリスコア「スコアＤ」とが対応付けて登録されている。なお、分類情報データベース２４には、他にも商品種別「財布」とカテゴリ「長財布」と他の分類情報とが対応付けられた組み合わせが登録されているものとする。
【００９４】
また、分類情報データベース２４には、商品種別「財布」とカテゴリ「長財布」とブランド「ブランドＡ」と素材「皮」とを対応付けた組み合わせと、かかる組み合わせが示す商品の代表的な画像である「画像Ｅ」と、カテゴリスコア「スコアＥ」とが対応付けて登録されている。また、分類情報データベース２４には、商品種別「財布」とカテゴリ「長財布」とブランド「ブランドＡ」と素材「キャンバス」を対応付けた組み合わせと、かかる組み合わせが示す商品の代表的な画像である「画像Ｆ」と、カテゴリスコア「スコアＦ」とが対応付けて登録されている。なお、分類情報データベース２４には、他にも商品種別「財布」とカテゴリ「長財布」とブランド「ブランドＡ」と他の分類情報とが対応付けられた組み合わせが登録されているものとする。
【００９５】
なお、分類情報データベース２４には、他にも任意の数の分類情報が対応付けられた組み合わせが登録されているものとする。すなわち、分類情報データベース２４には、商品情報データベース１４に登録された分類情報の組み合わせのうち、検索クエリの候補として表示を行うべき分類情報の組み合わせが登録されているものとする。
【００９６】
図４に戻り、配信情報データベース２５は、配信サーバ２０が端末装置１００に対して配信する各種ウェブページが登録されたデータベースである。例えば、配信情報データベース２５には、各種サービスへのリンクが張られるとともに、検索クエリの入力を受付けるテキストボックスが配置されたポータルサイトのウェブページが登録されている。
【００９７】
〔４−２．制御部２３が実行する処理の一例〕
図４に戻り、制御部２３が有する取得部２６、登録部２７、検索部２８、特定部２９、配信部３０が実行する処理の一例について説明する。なお、以下の説明では、取得部２６と登録部２７とは、生成処理を実行するものとし、検索部２８、特定部２９、配信部３０は、配信処理を実行するものとする。
【００９８】
取得部２６は、検索対象となる商品と、かかる商品を分類するための分類情報との組み合わせを取得する。例えば、取得部２６は、商品情報データベース２５に登録されている商品種別を取得し、取得した各商品種別について、以下の処理を実行する。まず、取得部２６は、処理対象とする商品種別をクエリとしてデータベースサーバ１０に送信する。そして、取得部２６は、処理対象とする商品種別が示す商品を分類するための分類情報と、処理対象とする商品種別とを対応付けた組み合わせを取得する。
【００９９】
ここで、取得部２６は、処理対象とする商品種別をクエリとして送信する場合は、所定のルールに合致する組み合わせのみを送信するようデータベースサーバ１０に指示するクエリを送信する。以下、かかるルールの一例について説明する。
【０１００】
例えば、取得部２６は、処理対象とする商品種別の商品と対応付けられた分類情報のうち、対応付けられた商品の数が多い分類情報と、処理対象とする商品種別との組み合わせを送信するよう指示するクエリを送信する。また、他の例では、取得部２６は、処理対象とする商品種別の商品と対応付けられた分類情報のうち、対応付けられた商品の在庫の数が多い分類情報と、処理対象とする商品種別との組み合わせを送信するよう指示するクエリを送信する。また、他の例では、取得部２６は、処理対象とする商品種別の商品と対応付けられた分類情報のうち、対応付けられた商品の在庫の数が多い分類情報と、処理対象とする商品種別との組み合わせを送信するよう指示するクエリを送信する。
【０１０１】
また、他の例では、取得部２６は、処理対象とする商品種別の商品と対応付けられた分類情報のうち、処理対象となる商品種別の商品と対応付けられた他の分類情報の種類が多い分類情報と、処理対象とする商品種別との組み合わせを送信するよう指示するクエリを送信する。また、他の例では、取得部２６は、処理対象とする商品種別の商品と対応付けられた分類情報のうち、対応する検索クエリの候補が利用者により選択された回数が多い分類情報と、処理対象とする商品種別との組み合わせを送信するよう指示するクエリを送信する。なお、取得部２６は、上述した各ルールに応じたスコアを算出し、算出したスコアが所定の閾値よりも大きい組み合わせを送信するよう指示するクエリを生成し、生成したクエリをデータベースサーバ１０に送信してもよい。
【０１０２】
また、取得部２６は、データベースサーバ１０から組み合わせを取得した場合は、かかる組み合わせに含まれる全ての分類情報をクエリとしてデータベースサーバ１０へ送信する。この結果、取得部２６は、取得した組み合わせに含まれる商品種別が示す商品に対して、かかる組み合わせに含まれる分類情報とともに対応付けられた他の分類情報を含む新たな組み合わせを取得することとなる。かかる処理を繰り返すことで、取得部２６は、検索クエリの候補として表示すべき分類情報と、端末装置１００から受信する検索クエリに対応する商品種別との組み合わせを取得することとなる。
【０１０３】
登録部２７は、取得部２６が取得した組み合わせを分類情報データベース２４に登録する。すなわち、登録部２７は、取得された組み合わせに含まれる分類情報を、かかる組み合わせに含まれる商品種別に対応する検索クエリに応じた検索結果とともに表示される検索クエリとして、分類情報データベース２４に登録する。また、登録部２７は、各組み合わせについて上述したスコアを算出し、算出したスコアを組み合わせと対応付けて分類情報データベース２４に登録する。
【０１０４】
ここで、図６を用いて、取得部２６が実行する処理の一例を説明する。図６は、実施形態に係る配信サーバが分類情報の組み合わせを取得する処理の一例を示す図である。なお、以下の説明では、取得部２６は、対応付けられた商品の数が２つ以上となる組み合わせを送信するよう指示するクエリを送信する例について説明する。
【０１０５】
まず、取得部２６は、クロール処理を開始し（ステップＳ１０）、商品種別「財布」を検索させるクエリをデータベースサーバ１０に送信する（ステップＳ１１）。一方、データベースサーバ１０は、図６に示す情報が商品情報データベース１４に登録されている場合、商品種別「財布」と対応付けられた商品Ａ〜Ｍを特定し、特定した商品Ａ〜Ｍと対応付けられた分類情報を種別ごとに特定する。具体的には、データベースサーバ１０は、カテゴリ「長財布」、「コインケース」、「二つ折り」、「その他」、「マネークリップ」、「クラッチ」を特定し、ブランド「ブランドＡ」、「ブランドＢ」、「ブランドＣ」、「ブランドＤ」を特定する。
【０１０６】
続いて、データベースサーバ１０は、特定した各分類情報と、商品種別「財布」とを対応付けた組み合わせを生成し、各組み合わせに含まれる分類情報と対応付けられた商品の数を計数する。例えば、データベースサーバ１０は、「財布」と「長財布」に対応する商品が３件、「財布」と「コインケース」に対応する商品が２件、「財布」と「二つ折り」に対応する商品が２件、「財布」と「その他」に対応する商品が１件、「財布」と「マネークリップ」に対応する商品が１件、「財布」と「クラッチ」に対応する商品が１件である旨を特定する。また、データベースサーバ１０は、「財布」と「ブランドＡ」に対応する商品が４件、「財布」と「ブランドＢ」に対応する商品が３件、「財布」と「ブランドＣ」に対応する商品が２件、「財布」と「ブランドＤ」に対応する商品が１件である旨を特定する。かかる場合、データベースサーバ１０は、クエリの指示に従い、「財布」と「その他」、「財布」と「マネークリップ」、「財布」と「クラッチ」、「財布」と「ブランドＤ」とを対応付けた組み合わせを不採用とし、他の組み合わせを配信サーバ２０に配信する。かかる結果、配信サーバ２０は、データベースサーバ１０が生成した分類情報の組み合わせ、すなわち、登録された商品の件数が多い組み合わせを受信する（ステップS１２）。
【０１０７】
続いて、配信サーバ２０は、取得した組み合わせに基づいて、さらに取得する分類情報の組み合わせ、すなわち、下位の分類を示す分類情報の組み合わせ（以下、下位組み合わせと記載する）を取得するルールを設定する（ステップＳ１３）。例えば、配信サーバ２０は、各組み合わせに含まれる分類情報と対応付けられた商品の数や、組み合わせの数、対応する検索クエリが選択された数等に応じて、下位組み合わせを取得する組み合わせや、下位組み合わせを何階層分取得するか、すなわち組み合わせに含まれる分類情報の数等といったルールを設定する。
【０１０８】
そして、配信サーバ２０は、設定したルールに従って、下位組み合わせのクロール処理を実行する（ステップＳ１４）。具体的には、配信サーバ２０は、下位組み合わせを取得する組み合わせに含まれる全ての分類情報をクエリとしてデータベースサーバ１０に送信し、クエリとして送信した分類情報とともに商品に対応付けられた分類情報と、クエリとして送信した分類情報とを対応付けた組み合わせを取得する。
【０１０９】
その後、配信サーバ２０は、取得した全組み合わせを分類情報データベース２４に登録し（ステップＳ１５）処理を終了する。なお、配信サーバ２０は、上述した処理を定期的に実行し、分類情報データベース２４を更新してもよい。また、かかる更新を実行する際、配信サーバ２０は、それまでに検索クエリの候補を利用者が選択した回数に応じて、下位組み合わせを取得するか否かや、下位組み合わせを取得する階層の数等を変更してもよい。
【０１１０】
図４に戻り、検索部２８は、検索クエリに応じた検索結果を取得する。例えば、検索部２８は、配信情報データベース１５からポータルサイトのウェブページを抽出すると、抽出したウェブページを端末装置１００へ送信する。そして、検索部２８は、端末装置１００の利用者がポータルサイトのテキストボックスに入力した検索クエリを受信すると、特定部２９に検索クエリを通知するとともに、検索サーバ２００に対して検索クエリを転送し、検索結果を取得する。そして、検索部２８は、検索サーバから検索結果を受信すると、受信した検索結果を配信部３０に出力する。
【０１１１】
また、検索部２８は、利用者が検索クエリの候補を選択した場合は、かかる検索クエリの候補と、先に入力された検索クエリとを含む新たな検索クエリを受信することとなる。かかる場合、検索部２８は、新たに受信した検索クエリを特定部２９に出力するとともに、検索サーバ２０から、新たな検索クエリに対応する検索結果を受信することとなる。
【０１１２】
なお、検索部２８は、受信した検索クエリと関連度の高いウェブページを検索し、関連度が高いウェブページのタイトルに、係るウェブページへのリンクを設定した検索結果を生成してもよい。すなわち、配信サーバ２０は、検索処理を自ら行ってもよく、他のサーバに検索処理を行わせてもよい。
【０１１３】
特定部２９は、端末装置１００から受付けた検索クエリと対応する種別の商品に対応付けられた分類情報を分類情報データベース２４から特定する。例えば、特定部２９は、検索クエリが「財布」である場合、「財布」と他の分類情報とを含む組み合わせを分類情報データベース２４から抽出し、抽出した組み合わせに含まれる「財布」以外の分類情報を種別ごとに特定する。そして、特定部２９は、種別ごとに特定した分類情報と、抽出した組み合わせと対応付けられた画像とを配信部３０に通知する。
【０１１４】
また、特定部２９は、利用者が検索クエリの候補を選択した場合は、かかる検索クエリの候補に対応する分類情報とともに、先の検索クエリと対応する種別の商品に対応付けられた分類情報を新たに特定する。例えば、特定部２９は、利用者が検索クエリの候補「ブランドＡ」を選択した場合は、「財布」と「ブランドＡ」を含む検索クエリを受信する。かかる場合、特定部２９は、「財布」と「ブランドＡ」と他の分類情報を含む組み合わせを分類情報データベース２４から抽出し、抽出した組み合わせに含まれる「財布」と「ブランドＡ」以外の分類情報を種別ごとに特定する。
【０１１５】
また、特定部２９は、所定のルールに従って、特定した分類情報に基づく検索クエリの候補を表示する順序を特定する。例えば、特定部２９は、特定した分類情報が示す分類に属する商品の数に応じて、検索クエリの候補を表示する順序を特定してもよい。また、他の例では、特定部２９は、端末装置１００から受信した検索クエリと対応する種別の商品に、特定した分類情報とともに対応付けられた他の分類情報の種別の数に応じて、検索クエリの候補を表示する順序を特定してもよい。また、特定部２９は、検索クエリの候補が利用者により選択された回数に応じて、検索クエリの候補を表示する順序を特定してもよい。また、特定部２９は、特定した分類情報が示す分類に属する商品の在庫の数に応じて、検索クエリの候補を表示する順序を特定してもよい。
【０１１６】
また、特定部２９は、上述した各ルールに基づいて算出されたスコアの値に応じて、検索クエリの候補を表示する順序を特定してもよい。例えば、特定部２９は、検索クエリに対応する組み合わせを分類情報データベース２４から抽出し、抽出した組み合わせと対応付けられたカテゴリスコアを特定する。そして、特定部２９は、特定したカテゴリスコアの値が大きい方から順に、検索クエリの候補を表示する順序を特定し、特定した順序を配信部３０に通知する。
【０１１７】
配信部３０は、特定部２９が特定した分類情報に基づく検索クエリの候補と、検索クエリに応じた検索結果とを端末装置１００へ配信する。具体的には、配信部３０は、特定部２９が特定した分類情報と、対応する画像、すなわち、特定部２９が特定した分類情報が示す分類に属する商品の画像と、検索クエリの候補を表示する順序との通知を受信する。また、配信部３０は、検索部２８から、検索クエリに応じた検索結果を受信する。
【０１１８】
かかる場合、配信部３０は、分類情報と受信した画像とに基づく検索クエリの候補を生成する。例えば、配信部３０は、受信した画像や受信した分類情報のテキストからなる検索クエリの候補を生成する。また、配信部３０は、検索クエリの候補を含む新たな検索クエリを送信し、新たな検索クエリに応じた検索結果を取得させるリンクを生成した検索クエリの候補に対して設定する。そして、配信部３０は、検索結果内に検索クエリの候補を表示する領域を挿入し、分類情報の種別ごとにタブを生成する。また、配信部３０は、各タブに対して、対応する種別の分類情報に基づいて生成された検索クエリの候補を、通知された順序で挿入した領域内に配置する。なお、配信部３０は、分類情報のテキスト又は画像のみを検索クエリの候補として配置してもよい。
【０１１９】
なお、配信部３０は、利用者が検索クエリの候補を選択した場合は、特定部２９が新たに特定した分類情報に基づく検索クエリの候補を新たに生成し、新たな検索結果に対して新たに生成した検索クエリの候補を挿入し、端末装置１００へ送信することとなる。
【０１２０】
〔５．配信処理の一例〕
次に、配信サーバ２０が実行する配信処理の例について説明する。
【０１２１】
〔５−１．分類情報の種別に応じた表示の一例〕
まず、図７を用いて、分類情報の種別に応じて表示される検索結果の一例について説明する。図７は、分類情報の種別に応じた表示の一例を示す図である。なお、以下の処理では、配信サーバ２０は、組み合わせに含まれる分類情報と対応付けられた商品の数をカテゴリスコアとするものとする。
【０１２２】
例えば、図７に示す例では、商品情報データベース１４に、商品名「商品Ａ」、商品種別「財布」、カテゴリ「長財布」、ブランド「ブランドＡ」が対応付けて登録され、商品名「商品Ｂ」、商品種別「財布」、カテゴリ「コインケース」、ブランド「ブランドＡ」が対応付けて登録され、商品名「商品Ｆ」、商品種別「財布」、カテゴリ「二つ折り」、ブランド「ブランドＡ」が対応付けて登録されている。また、図７に示す例では、商品情報データベース１４には、商品名「商品Ｇ」、商品種別「財布」、カテゴリ「長財布」、ブランド「ブランドＢ」が対応付けて登録され、商品名「商品Ｈ」、商品種別「財布」、カテゴリ「二つ折り」、ブランド「ブランドＢ」が対応付けて登録され、商品名「商品Ｉ」、商品種別「財布」、カテゴリ「長財布」、ブランド「ブランドＣ」が対応付けて登録されている。
【０１２３】
かかる場合、配信サーバ２０は、図７に例示する情報を分類情報データベース２４に登録する。具体的には、配信サーバ２０は、「財布」と「長財布」との組み合わせと、画像Ａと、カテゴリスコア「３」とを対応付けて登録し、「財布」と「二つ折り」との組み合わせと、画像Ｂと、カテゴリスコア「２」とを対応付けて登録する。また、配信サーバ２０は、「財布」と「コインケース」との組み合わせと、画像Ｃと、カテゴリスコア「１」とを対応付けて登録し、「財布」と「ブランドＡ」との組み合わせと、画像Ｄと、カテゴリスコア「３」とを対応付けて登録する。また、配信サーバ２０は、「財布」と「ブランドＢ」との組み合わせと、画像Ｅと、カテゴリスコア「２」とを対応付けて登録し、「財布」と「ブランドＣ」との組み合わせと、画像Ｆと、カテゴリスコア「１」とを対応付けて登録する。
【０１２４】
かかる場合、配信サーバ２０は、分類情報の種別「カテゴリ」のタブと分類情報の種別「ブランド」のタブを配置する。そして、配信サーバ２０は、分類情報の種別「カテゴリ」のタブ内に、分類情報「長財布」に基づく検索クエリの候補、分類情報「二つ折り」に基づく検索クエリの候補、分類情報「コインケース」に基づく検索クエリの候補をカテゴリスコアの値が大きい順に配置する。また、配信サーバ２０は、分類情報の種別「ブランド」のタブ内に、分類情報「ブランドＡ」に基づく検索クエリの候補、分類情報「ブランドＢ」に基づく検索クエリの候補、分類情報「ブランドＣ」に基づく検索クエリの候補をカテゴリスコアの値が大きい順に配置する。
【０１２５】
この結果、端末装置１００は、利用者が「カテゴリ」のタブを選択した場合は、検索結果Ｃ１０を表示し、利用者が「ブランド」のタブを選択した場合は、検索結果Ｃ２０を表示することとなる。
【０１２６】
〔５−２．検索クエリの候補の選択に応じた表示の一例〕
次に、図８を用いて、利用者が検索クエリの候補を選択した際に表示される検索結果の一例を説明する。図８は、検索クエリの候補の選択に応じた表示の一例を説明する図である。例えば、配信サーバ２０は、検索クエリ「財布」に対し、検索結果Ｃ１０を配信する。ここで、配信サーバ２０は、利用者が検索クエリの候補Ｃ１３から「長財布」に基づく検索クエリの候補を選択した場合、検索結果Ｃ３０を生成して配信する。
【０１２７】
具体的には、配信サーバ２０は、検索クエリ「財布  長財布」に応じた検索結果を取得し、「財布」と「長財布」とを含む組み合わせの下位組み合わせに含まれる分類情報を特定し、特定した分類情報に基づく検索クエリの候補Ｃ３３を配置する。例えば、図８に示す例では、配信サーバ２０は、分類情報の種別「ブランド」のタブを配置し、「ブランド」のタブ内に、分類情報「ブランドＡ」、「ブランドＢ」、「ブランドＣ」に基づく検索クエリの候補を配置した検索結果Ｃ３０を生成する。
【０１２８】
さらに、配信サーバ２０は、利用者が選択した検索クエリの履歴を示す履歴情報Ｃ３６を検索結果Ｃ３０に配置する。例えば、配信サーバ２０は、最初に入力された検索クエリ「財布」と、利用者が選択した検索クエリの候補「長財布」とを順に配置した履歴Ｃ３６を配置する。また、配信サーバ２０は、履歴情報Ｃ３６の「財布」に対し、検索クエリを「財布」とする検索結果Ｃ１０へのリンクを設定し、履歴情報Ｃ３６の「長財布」に対し、検索クエリを「財布  長財布」とする検索結果Ｃ３０へのリンクを設定する。
【０１２９】
また、配信サーバ２０は、検索クエリの候補Ｃ３３から「ブランドＡ」に基づく検索クエリの候補を選択した場合、検索結果Ｃ４０を生成して配信する。具体的には、配信サーバ２０は、検索クエリ「財布  長財布  ブランドＡ」に応じた検索結果を取得し、「財布」と「長財布」と「ブランドＡ」とを含む組み合わせの下位組み合わせに含まれる分類情報を特定し、特定した分類情報に基づく検索クエリの候補Ｃ４３を配置する。例えば、図８に示す例では、配信サーバ２０は、分類情報の種別「素材」のタブを配置し、かかるタブ内に、「皮」、「型押し」、「クロコ」といった素材の分類情報に基づく検索クエリの候補Ｃ４３を配置した検索結果Ｃ４０を生成する。
【０１３０】
さらに、配信サーバ２０は、「財布」と「長財布」と「ブランドＡ」とを利用者が選択した順に配置した履歴情報Ｃ４６を配置する。また、配信サーバ２０は、「財布」と「長財布」とには、履歴情報Ｃ３６と同様のリンクを設定し、「ブランドＡ」に対しては、検索クエリを「財布  長財布  ブランドＡ」とする検索結果Ｃ４０へのリンクを設定する。
【０１３１】
ここで、各かかるリンクが選択された場合、配信サーバ２０は、検索クエリに対応する分類情報に基づいた検索クエリの候補と、リンクに対応する検索クエリに応じた履歴情報とを配置した検索結果を配信する。例えば、検索結果Ｃ４０が表示されている際に、利用者が履歴情報Ｃ４６の「長財布」を選択した場合、配信サーバ２０は、端末装置２００から、新たな検索クエリ「財布  長財布」を受信する。すなわち、配信サーバ２０は、利用者が検索クエリの候補「長財布」を選択するまでに入力した検索クエリおよび利用者が選択した検索クエリの候補を全て含む検索クエリを受信する。
【０１３２】
かかる場合、配信サーバ２０は、検索クエリ「財布  長財布」に対応する種別の商品を分類する分類情報を特定するとともに、検索クエリ「財布  長財布」に応じた検索結果を取得する。また、配信サーバ２０は、検索クエリ「財布  長財布」に対応する履歴情報
すなわち、履歴情報Ｃ３６を生成する。また、配信サーバ２０は、検索結果に対し、特定した分類情報に基づく検索クエリの候補を配置するとともに、係る検索クエリの候補を追加した新たな検索クエリに対応する検索結果へのリンクを設定する。また、配信サーバ２０は、検索結果に履歴情報Ｃ３６を配置するとともに、履歴情報Ｃ３６に含まれる検索クエリのそれぞれに対し、かかる検索クエリが選択されるまでに利用者が入力した検索クエリおよび利用者が選択した検索クエリの候補を全て含む検索クエリに対応する検索結果へのリンクを設定する。そして、配信サーバ２０は、検索結果を端末装置１００に配信する。この結果、配信サーバ２０は、検索結果Ｃ４０において、履歴情報Ｃ４６に含まれる「長財布」を利用者が選択した場合は、検索結果Ｃ３０を端末装置１００に配信することとなる。なお、かかるリンクの配置および設定は、図４に示した配信部３０によって実現されるものとする。
【０１３３】
〔６．配信サーバ２０の処理フロー〕
次に、図９、図１０を用いて、配信サーバ２０が実行する生成処理と配信処理との手順について説明する。まず、図９を用いて、生成処理の手順について説明する。図９は、実施形態に係る配信サーバが実行する生成処理の流れの一例を示すフローチャートである。
【０１３４】
例えば、配信サーバ２０は、クロール処理を開始する（ステップＳ１０１）。具体的には、配信サーバ２０は、商品情報データベース１４に登録された各商品種別をクエリとしてデータベースサーバ１０に送信することで、かかる商品種別と他の分類情報との組み合わせを取得する。すなわち、配信サーバ２０は、利用者の検索処理における検索対象となりえる分類情報の組み合わせを取得する（ステップＳ１０２）。
【０１３５】
また、配信サーバ２０は、取得した組み合わせについてスコアを算出し（ステップＳ１０３）、取得した組み合わせと算出したスコアとを分類情報データベース２４に登録する（ステップＳ１０４）。続いて、配信サーバ２０は、所定のルールに従って、取得した組み合わせの下位組み合わせを取得するか否かを判定し（ステップＳ１０５）、取得すると判定した場合は（ステップＳ１０５：Ｙｅｓ）、ステップＳ１０２を実行する。一方、配信サーバ２０は、下位組み合わせを取得しないと判定した場合は（ステップＳ１０５：Ｎｏ）、生成処理を終了する。
【０１３６】
次に、図１０を用いて、配信処理の手順について説明する。図１０は、実施形態に係る配信サーバが実行する配信処理の流れの一例を示すフローチャートである。まず、配信サーバ２０は、端末装置１００から検索クエリを受信する（ステップＳ２０１）。かかる場合、配信サーバ２０は、受信した検索クエリに対応する検索結果を検索サーバ２００から取得する（ステップＳ２０２）。続いて、配信サーバ２０は、検索クエリに応じた組み合わせを特定する（ステップＳ２０３）。具体的には、配信サーバ２０は、検索クエリに含まれる商品種別や他の分類情報を含む組み合わせを特定する。
【０１３７】
続いて、配信サーバ２０は、特定した組み合わせのカテゴリスコアに基づいて、検索クエリの候補の表示順序を特定する（ステップＳ２０４）。そして、配信サーバ２０は、特定した組み合わせに含まれる分類情報のうち、端末装置１００から受信した検索クエリ以外の分類情報を特定し、特定した分類情報に基づく検索クエリの候補を検索結果に挿入する（ステップＳ２０５）。その後、配信サーバ２０は、検索結果を配信し（ステップＳ２０６）、処理を終了する。
【０１３８】
〔７．変形例〕
上記した実施形態に係る配信サーバ２０は、上記実施形態以外にも種々の異なる形態にて実施されてよい。そこで、以下では、配信サーバ２０の他の実施形態について説明する。
【０１３９】
〔７−１．配信処理の繰り返しについて〕
上述した配信サーバ２０は、利用者が検索クエリの候補を選択する度に、選択された検索クエリの候補を検索クエリに追加し、新たな検索結果を取得および配信する処理を実行した。ここで、配信サーバ２０は、係る処理の繰り替えし回数に上限を設けてもよい。例えば、配信サーバ２０は、組み合わせに含まれる分類情報の数に上限を設け、検索クエリと対応する組み合わせが存在しない場合には、検索サーバ２００から取得する検索結果のみを配信してもよい。
【０１４０】
例えば、図１１は、実施形態に係る配信サーバが実行する配信処理の繰り返しを説明する図である。なお、図１１に示す例では、配信サーバ２０は、最大で５つの分類情報を対応付けた組み合わせを記憶するものとする。例えば、配信サーバ２０は、検索クエリ「財布  長財布  ブランドＡ」に応じた検索結果に、「素材」のタブおよび「色」のタブを配置し、各タブに対応する検索クエリの候補を配置した検索結果Ｃ４０を配信する。ここで、配信サーバ２０は、利用者が分類情報「皮」に基づく検索クエリの候補を選択した場合は、検索クエリ「財布  長財布  ブランドＡ  皮」に応じた検索結果に、「色」のタブを配置し、対応する検索クエリの候補を配置した検索結果Ｃ５０を配信する。
【０１４１】
ここで、利用者が分類情報「黒」に対応する検索クエリの候補を選択したものとする。かかる場合、新たな検索クエリは「財布  長財布  ブランドＡ  皮  黒」となり、利用者が所望する商品を検索するには十分な検索クエリであると考えられる。また、配信サーバ２０は、検索クエリに含まれる分類情報「財布」、「長財布」、「ブランドＡ」、「皮」、「黒」に対してさらに分類情報を対応付けた組み合わせを記憶していない。このため、配信サーバ２０は、検索クエリの候補を挿入していない検索結果Ｃ６０を配信する。
【０１４２】
このように、配信サーバ２０は、検索クエリに含まれる分類情報の数が、利用者の検索において十分な数であると考えられる場合には、検索クエリの候補を挿入せずともよい。なお、検索において十分な検索クエリの数は、商品の種別によって異なると考えられる。このため、配信サーバ２０は、商品の種別ごとに、組み合わせに含まれる分類情報の数の上限を設定してもよい。かかる処理を実行した場合、配信サーバ２０は、不必要な検索クエリの候補を表示することなく、利用者の検索を適切に補助することができる。
【０１４３】
なお、配信サーバ２０は、検索クエリのログに基づいて、繰り替えし回数の上限を設定してもよい。例えば、配信サーバ２０は、最も多くの利用者が検索を終了した際に、検索クエリに含まれる分類情報の数を、繰り返し回数の上限としてもよい。
【０１４４】
また、配信サーバ２０は、処理を繰り返した回数が上限に達した場合は、検索結果ではなく、例えば、ショッピングサーチの結果を表示してもよい。また、配信サーバ２０は、利用者が選択していない検索クエリの候補を全て表示してもよい。例えば、配信サーバ２０は、最終的な検索クエリにより特定される商品について、色違い商品の画像を表示してもよい。また、配信サーバ２０は、最終的な検索クエリに対応する商品を販売するウェブページを表示してもよい。
【０１４５】
〔７−２．検索結果に含まれる広告について〕
一般に、検索結果には、検索クエリに応じた広告が配置される。ここで、検索結果に含まれる広告は、検索クエリに応じた広告であるため、広告クエリに含まれる分類情報が多ければ多いほど、マッチングの精度が高い。このため、配信サーバ２０は、利用者が入力した検索クエリと、利用者が選択した検索クエリの候補とに応じて選択された広告を配置してもよい。例えば、配信サーバ２０は、利用者が選択した検索クエリの候補とに応じて選択された広告を配置するよう検索サーバ２００に指示してもよい。
【０１４６】
また、マッチングの精度が高い広告については、利用者が所望する広告であるため、多くの広告を表示しても、利用者に不満を生じさせることが少ないと考えられる。そこで、配信サーバ２０は、利用者が選択した検索クエリの数に応じた数の広告を配置してもよい。例えば、配信サーバ２０は、利用者が選択した検索クエリの数に応じた数の広告を配置するよう検索サーバ２００に指示してもよい。また、配信サーバ２０は、検索クエリの内容に応じて、配置する広告の数を変更させてもよい。
【０１４７】
例えば、図１２は、実施形態に係る配信サーバが配置させる広告の一例を説明する図である。例えば、配信サーバ２０は、検索クエリが「財布」である場合は、「人気の財布！」や「あのブランドが安い！」といった「財布」と対応する広告Ｃ１４が配置された検索結果Ｃ１０を配信する。
【０１４８】
ここで、配信サーバ２０は、検索結果Ｃ１０が表示されている際に、利用者が分類情報「長財布」に基づく検索クエリの候補を選択した場合は、「人気の長財布！」や「あの長財布が安い！」といった、検索クエリ「財布  長財布」に対応する広告Ｃ３４が配置された検索結果Ｃ３０を配信する。さらに、配信サーバ２０は、検索結果Ｃ３０が表示されている際に、利用者が分類情報「ブランドＡ」に基づく検索クエリの候補を選択した場合には、表示する広告の数を増やした検索結果Ｃ４０を配信する。具体的には、配信サーバ２０は、「ブランドＡの長財布！」、「ブランドＡならおまかせ！」、「ブランドＡが特価！」といった、新たな検索クエリ「財布  長財布  ブランドＡ」に対応する広告Ｃ４４が配置された検索結果Ｃ４０を配信する。
【０１４９】
一方、配信サーバ２０は、検索結果Ｃ１０が表示されている際に、利用者が分類情報「二つ折り」に基づく検索クエリの候補を選択した場合は、「人気の財布！」や「二つ折りが人気！」といった新たな検索クエリ「財布  二つ折り」に対応する広告Ｃ７４が配置された検索結果Ｃ７０を配信する。また、配信サーバ２０は、検索結果Ｃ７０が表示されている際に、利用者が分類情報「ブランドＣ」に基づく検索クエリの候補を選択した場合は、表示する広告の数を増やした検索結果Ｃ８０を配信する。具体的には、配信サーバ２０は、「ブランドＣなら！」、「ブランドＣの人気シリーズＡ！」、「シリーズＡが安い！」、「ブランドＣのシリーズＡが安い！」といった、新たな検索クエリ「財布  二つ折り  ブランドＣ」に対応する広告Ｃ８４が配置された検索結果Ｃ８０を配信する。
【０１５０】
なお、配信サーバ２０は、検索クエリに含まれる分類情報の数や、検索クエリのログ等からスコアを算出し、算出したスコアの値に応じた数の広告を配置してもよい。また、配信サーバ２０は、検索クエリに含まれる分類情報の数が増える度に、広告を表示させるスコアの閾値の値を変更してもよい。例えば、配信サーバ２０は、検索クエリに含まれる分類情報の数が３つ以下である場合は、２つの広告を配置し、検索クエリに含まれる分類情報の数が４つである場合は、３つの広告を配置し、検索クエリに含まれる分類情報の数が５つである場合は、５つの広告を配置してもよい。
【０１５１】
このように、配信サーバ２０は、利用者が選択した検索クエリの候補に応じた広告を検索結果に配置する。このため、配信サーバ２０は、検索結果に配置される広告のマッチング精度を向上させることができる。また、配信サーバ２０は、利用者が選択した検索クエリの候補の数に応じた数の広告を、検索結果に配置する。このため、配信サーバ２０は、不満を生じさせることなく、マッチング精度の高い広告を多く表示させることができる。
【０１５２】
〔７−３．スコアについて〕
上述した配信サーバ２０は、生成処理において、所定のルールに基づいて算出されたスコアに基づき、取得する組み合わせを限定した。また、配信サーバ２０は、配信処理において、所定のルールに基づいて算出されたカテゴリスコアに基づき、検索クエリの候補を表示する順序を特定した。ここで、配信サーバ２０が各スコアを算出する処理は、上述した例に限定されるものではなく、配信サーバ２０は、任意の情報をパラメータとして採用し、かかるパラメータに基づいて各スコアを算出することができる。
【０１５３】
例えば、配信サーバ２０は、分類情報と対応付けられた商品の数の変動数や、在庫の数の変動数に応じた重みづけを考慮してもよい。また、配信サーバ２０は、検索回数が多い単語やバズワード等の単語と関連する分類情報に基づく検索クエリの候補が先に表示されるよう、スコアを算出してもよい。
【０１５４】
〔７−４．タブについて〕
上述した配信サーバ２０は、分類情報の種別に対応するタブを配置し、かかるタブに対応する種別の分類情報に基づく検索クエリを配置した。ここで、配信サーバ２０は、利用者が選択したタブや利用者が選択した検索クエリの候補のログに基づいて、タブを表示する順序を変更してもよい。
【０１５５】
例えば、配信サーバ２０は、分類情報の種別ごとに、検索クエリの候補が選択された回数を計数する。そして、配信サーバ２０は、検索クエリの候補が選択された回数が多い順に、タブを表示してもよい。例えば、配信サーバ２０は、種別「ブランド」に係る分類情報に基づいた検索クエリの候補が最も多く選択されている場合は、種別「ブランド」に係るタブを最前面に配置してもよい。このような処理を実行することで、配信サーバ２０は、利用者の検索をより適切に補助することができる。
【０１５６】
〔７−５．検索クエリの順序について〕
例えば、配信サーバ２０は、利用者が選択した検索クエリの候補の順序に応じて、検索結果や、新たに表示する検索クエリの候補を変更してもよい。例えば、種別「ブランド」に係る分類情報に基づいた検索クエリの候補を先に選択した利用者と、種別「カテゴリ」に係る分類情報に基づいた検索クエリの候補を先に選択した利用者とでは、所望する商品に対する意識が異なると予測される。
【０１５７】
そこで、配信サーバ２０は、利用者が選択した検索クエリの候補の順序に応じて、新たに表示する検索クエリの候補の順番や、タブに関連する分類情報の種別を変更してもよい。例えば、配信サーバ２０は、種別「ブランド」に係る分類情報に基づいた検索クエリの候補を先に選択した利用者に対しては、種別「色」や「素材」等よりも、商品のシリーズ名等、種別「ブランド」に関連する分類情報に基づいた検索クエリの候補を優先して表示してもよい。
【０１５８】
〔７−６．取得する組み合わせについて〕
また、配信サーバ２０は、検索されないような分類情報の組み合わせについては、生成処理において取得を行わずとも好い。例えば、配信サーバ２０は、分類情報「その他」等、利用者が検索において入力しないような分類情報を含む組み合わせについては、商品情報データベース１４から取得せずとも好い。また、配信サーバ２０は、予め設定された分類情報を含む組み合わせについては、商品情報データベース１４から取得せずとも好い。
【０１５９】
〔７−７．表示する情報について〕
上述した配信サーバ２０は、特定した分類情報に基づく検索クエリの候補を表示した。ここで、配信サーバ２０は、係る検索クエリの候補に分類情報のテキストや写真以外の情報を含めてもよい。例えば、配信サーバ２０は、特定した分類情報と対応付けられた商品の価格帯を特定し、特定した価格帯を表示してもよい。また、配信サーバ２０は、かかる価格帯ごとの検索クエリの候補を配置してもよい。例えば、配信サーバ２０は、価格帯タブを生成し、検索クエリに対応する商品の価格帯を示す複数の検索クエリの候補を表示してもよい。また、配信サーバ２０は、検索クエリの候補に対応する商品の説明を配置してもよい。例えば、配信サーバ２０は、種別「ブランド」の分類情報に基づく検索クエリの候補に、各ブランドの説明情報を含めてもよい。
【０１６０】
〔７−８．検索結果の変更について〕
配信サーバ２０は、利用者が選択した検索クエリの候補に応じた情報を、検索結果内に挿入してもよい。例えば、配信サーバ２０は、利用者が選択した検索クエリの候補に応じた商品のウェブページを特定し、かかるウェブページへのリンクを検索結果に含まれるリンクの上位に挿入してもよい。すなわち、配信サーバ２０は、利用者が選択した検索クエリの候補に応じて、検索結果を操作してもよい。また、配信サーバ２０は、各検索クエリが選択された回数や、利用者が選択した検索クエリの候補のログに基づいて、検索結果を操作してもよい。
【０１６１】
〔７−９．商品について〕
上述した配信サーバ２０は、商品やサービス等の検索対象と、かかる検索対象を分類する分類情報が登録された商品情報データベース１４から、分類情報の組み合わせを取得した。しかしながら、実施形態は、これに限定されるものではない。例えば、配信サーバ２０は、旅行プランと、係る旅行プランを分類する分類情報が登録された商品情報データベースから、分類情報の組み合わせを取得してもよい。すなわち、配信サーバ２０は、任意の情報とかかる情報を分類する分類情報とから、分類情報の組み合わせを取得することができる。また、配信サーバ２０は、利用者が検索クエリを予測しづらい分野の情報や、利用者が予測しづらい分類情報が設定された情報等について、生成処理および配信処理を実行した際に、利用者の検索をより適切に補助することができる。
【０１６２】
〔７−１０．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１６３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図４に示した取得部２６、登録部２７、検索部２８、特定部２９、配信部３０が発揮する機能は、任意の粒度で統合されてもよい。
【０１６４】
また、配信サーバ２０は、分類情報データベース２４を記憶部２２に記憶させる必要はなく、例えば、ネットワーク上に存在する他のサーバ装置等が記憶する分類情報データベース２４を利用してもよい。また、配信サーバ２０は、取得部２６と登録部２７、または、特定部２９と配信部３０とを有していればよく、検索部２８を有する必要はない。
【０１６５】
また、上記してきた各実施形態は、処理内容を矛盾させない範囲で適宜組み合わせることが可能である。
【０１６６】
〔７−１１．プログラム〕
また、上記してきた実施形態に係る配信サーバ２０は、例えば図１３に示すような構成のコンピュータ１０００によって実現される。以下、配信サーバ２０の機能を実行するコンピュータ１０００について説明する。図１３は、実施形態に係る配信サーバの機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１６７】
ＣＰＵ１１００は、ＲＯＭ１３００またはＨＤＤ１４００に格納された配信プログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１６８】
ＨＤＤ１４００は、ＣＰＵ１１００によって実行されるプログラム、および、係るプログラムによって使用されるデータ等を格納する。通信インターフェイス１５００は、ネットワークＮを介して他の機器からデータを受信してＣＰＵ１１００へ送り、ＣＰＵ１１００が生成したデータを他の機器へ送信する。
【０１６９】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して、生成したデータを出力装置へ出力する。
【０１７０】
メディアインターフェイス１７００は、記録媒体１８００に格納されたプログラムまたはデータを読み取り、ＲＡＭ１２００を介してＣＰＵ１１００に提供する。ＣＰＵ１１００は、係るプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１７１】
例えば、コンピュータ１０００が実施形態に係る配信サーバ２０として機能する場合、コンピュータ１０００のＣＰＵ１１００は、ＲＡＭ１２００上にロードされた配信プログラムを実行することにより、制御部２３の機能を実現する。また、ＨＤＤ１４００には、記憶部２２内のデータ、例えば分類情報データベース２４と配信情報データベース２５が格納される。コンピュータ１０００のＣＰＵ１１００は、生成プログラムまたは配信プログラムを記録媒体１８００から読み取って実行するが、他の例として、他の装置からこれらのプログラムを取得してもよい。
【０１７２】
〔８．効果〕
上述した用意、配信サーバ２０は、商品の種別とかかる種別の商品を分類するための分類情報とを対応付けて記憶する商品情報データベース１４を参照し、端末装置１００から受付けた検索クエリと対応する種別の商品に対応付けられた分類情報を特定する。そして、配信サーバ２０は、特定した分類情報に基づく検索クエリの候補と、端末装置１００から受付けた検索クエリに応じた検索結果とを端末装置１００へ配信する。このため、配信サーバ２０は、利用者の検索を適切に補助することができる。
【０１７３】
また、端末装置１００がスマートフォン等のスマートデバイスである場合、表示領域が限定されるため、検索クエリの入力が煩雑になる。例えば、検索クエリの入力を行うキーボードを表示する領域や、検索クエリの入力画面等が同一の画面上に表示される結果、各表示領域が限定されるため、検索クエリの入力や確認が困難となる。しかしながら、配信サーバ２０は、端末装置１００に対し、検索クエリに応じた結果と検索クエリに対応する商品を分類する分類情報に基づいた検索クエリの候補とを送信し、表示させる。この結果、利用者は、検索結果と共に表示される検索クエリの候補を順に選択するだけで、検索クエリを追加することができ、検索結果を絞り込むことができる。このため、配信サーバ２０は、スマートデバイスを用いた検索を容易にするので、利用者の検索を適切に補助することができる。
【０１７４】
また、配信サーバ２０は、検索クエリの候補として、特定した分類情報が示す分類に属する商品の画像を配信する。このため、配信サーバ２０は、利用者に新たな検索クエリを直感的に選択させることができるので、検索を適切に補助することができる。
【０１７５】
また、配信サーバ２０は、検索クエリの候補として、分類情報を配信する。このため、配信サーバ２０は、適切な商品の画像を取得できなかった場合や、写真では新たな検索クエリを想起させることが困難である場合に、利用者に新たな検索クエリを提示することができるので、検索を適切に補助することができる。
【０１７６】
また、配信サーバ２０は、所定のルールに従って、検索クエリの候補を表示する順序を特定し、特定した順序で検索クエリの候補を配置した検索結果を配信する。このため、配信サーバ２０は、例えば、利用者が選択する可能性が高い検索クエリの候補から順に表示することができるので、検索を適切に補助することができる。
【０１７７】
また、配信サーバ２０は、特定した分類情報が示す分類に属する商品の数に応じて、検索クエリの候補を表示する順序を特定する。この結果、配信サーバ２０は、対応する商品の数がより多い検索クエリの候補を優先的に表示することで、利用者が選択する可能性が高い検索クエリの候補から順に表示することができるので、検索を適切に補助することができる。
【０１７８】
また、配信サーバ２０は、特定した分類情報とともに検索クエリと対応する種別の商品に対応付けられた他の分類情報の種別の数に応じて、検索クエリの候補を表示する順序を特定する。この結果、配信サーバ２０は、より絞り込みが必要な商品の種別に対応する検索クエリの候補から順に表示することができるので、検索結果の絞り込みを適切に補助することができる。
【０１７９】
また、配信サーバ２０は、検索クエリの候補が利用者により選択された回数に応じて、かかる検索クエリの候補を表示する順序を特定する。この結果、配信サーバ２０は、多くの利用者が選択した検索クエリの候補から順に表示することができるので、利用者が選択する可能性が高い検索クエリの候補を先に表示する結果、検索を適切に補助することができる。
【０１８０】
また、配信サーバ２０は、特定した分類情報が示す分類に属する商品の在庫の数に応じて、検索クエリの候補を表示する順序を特定する。このため、配信サーバ２０は、例えば、廃盤となった商品の分類情報に対応する検索クエリの候補を他の候補よりも後に表示するので、検索を適切に補助することができる。
【０１８１】
また、配信サーバ２０は、検索クエリと対応する種別の商品に対応付けられた分類情報を分類の種別ごとに特定し、特定した分類情報に基づく検索クエリの候補を、分類の種別ごとに配置した検索結果を配信する。このため、配信サーバ２０は、分類の種別ごとに、検索クエリの候補を表示することができるので、検索結果の絞り込みをより容易にすることができる。
【０１８２】
また、配信サーバ２０は、利用者が検索クエリの候補を選択した場合は、選択された検索クエリの候補に対応する分類情報とともに、検索クエリと対応する種別の商品に対応付けられた分類情報を新たに特定する。そして、配信サーバ２０は、新たに特定した分類情報に基づく検索クエリの候補と、利用者が選択した検索クエリの候補に応じた新たな検索結果とを端末装置１００へ配信する。この結果、配信サーバ２０は、検索結果の段階的な絞り込みを実現できるので、検索結果の絞り込みをより容易にすることができる。
【０１８３】
また、配信サーバ２０は、利用者が選択した検索クエリの候補を順に配置した履歴情報を検索結果とともに配信する。この結果、配信サーバ２０は、利用者が選択した検索クエリの候補の履歴を提示することができるので、検索結果の適切な絞り込みを継続させることができる。
【０１８４】
また、配信サーバ２０は、履歴情報に含まれる検索クエリの候補のいずれかが選択された場合は、選択された検索クエリの候補よりも前に利用者が選択した検索クエリの候補と、端末装置１００から受信した検索クエリとを含む新たな検索クエリに応じた検索結果を取得する。また、配信サーバ２０は、新たな検索クエリに応じた分類情報を特定し、特定した分類情報に基づく検索クエリの候補と、新たな検索クエリに応じた検索結果とを配信する。このため、配信サーバ２０は、利用者が誤った検索クエリの候補を選択した場合にも、従前の検索結果へ容易に導くことができる。
【０１８５】
また、配信サーバ２０は、端末装置１００から受付けた検索クエリと利用者が選択した検索クエリの候補とに応じて選択された広告を検索結果に配置する。このため、配信サーバ２０は、マッチング精度が高い広告を提示することができる。
【０１８６】
また、配信サーバ２０は、利用者が選択した検索クエリの候補の数に応じた数の広告を検索結果に配置する。このため、配信サーバ２０は、利用者に不満を感じさせることなく、マッチング精度が高い多くの広告を提示することができる。
【０１８７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１８８】
また、上記してきた「部（section、module、unit）」は、「手段」や「回路」などに読み替えることができる。例えば、配信部は、配信手段や配信回路に読み替えることができる。
【符号の説明】
【０１８９】
１０  データベースサーバ
１１、２１  通信部
１２、２２  記憶部
１３、２３  制御部
１４  商品情報データベース
１５  検索部
１６  配信部
２０  配信サーバ
２４  分類情報データベース
２５  配信情報データベース
２６  取得部
２７  登録部
２８  検索部
２９  特定部
３０  配信部
１００  端末装置
２００  検索サーバ
【図１】
0005931308.tif 000002
【図２】
0005931308.tif 000003
【図３】
0005931308.tif 000004
【図４】
0005931308.tif 000005
【図５】
0005931308.tif 000006
【図６】
0005931308.tif 000007
【図７】
0005931308.tif 000008
【図８】
0005931308.tif 000009
【図９】
0005931308.tif 000010
【図１０】
0005931308.tif 000011
【図１１】
0005931308.tif 000012
【図１２】
0005931308.tif 000013
【図１３】
0005931308.tif 000014